(57)【特許請求の範囲】
【請求項１】
記憶情報を記憶する記憶手段（３９、４０）と、
移動機内でハンズフリー通話が行われているか否かを判定する通話判定手段（１００）と、
前記移動機が移動中か否かを判定する走行判定手段（１２０）と、
前記走行判定手段により前記移動機が移動中であると判定されて、かつ、前記通話判定手段により前記ハンズフリー通話が行われていると判定されたとき、前記移動機の移動中に前記ハンズフリー通話が行われた旨を前記記憶情報として記憶させるように前記記憶手段を制御する制御手段（１３０）と、
を有することを特徴とする無線通信機。
【請求項２】
送信情報を送信する送信手段（３１、３２）を有し、
前記制御手段は、前記移動機の移動中に前記ハンズフリー通話が行われた旨を、前記送信情報として送信させるように前記送信手段を制御することを特徴とする請求項１に記載の無線通信機。
【発明の詳細な説明】
【０００１】
【発明の属する技術分野】
本発明は、無線通信機に関し、例えば、ハンズフリー通話を行うことのできる電話器等の無線通信機に関する。
【０００２】
【従来の技術】
近年、自動車の運転者が受話器を持たずに、この受話器と別体のマイクロホンとスピーカを使って通話可能な、ハンズフリー装置が普及して走行中の事故防止に貢献している。
【０００３】
【発明が解決しようとする課題】
本発明者は、ハンズフリー装置を、より、一層、普及させることを検討したところ、ハンズフリー装置の使用は、運転者の意志に委ねられており、運転者が携帯電話を片手に持ちながら片手運転しても、そのことを、確実に第３者が証明することは難しいため、運転者が片手運転していることを確実に取り締まることは難しい。
【０００４】
また、運転者がハンズフリー装置を使用していても、そのことを、運転終了後に確実に第３者に証明することは難しい。
【０００５】
そこで、ハンズフリー装置の使用を記録に自動的に残すようにすれば、運転者の片手運転に対する取り締まりを容易に行うことができるため、ハンズフリー装置の使用を利用者に促すことのできると考えた。
【０００６】
本発明は、上記点に鑑み、ハンズフリー通話を行った旨を記録に残すことのできる無線通信機を提供することを目的とする。
【０００７】
【課題を解決するための手段】
本発明は、上記目的を達成するために、請求項１に記載の発明においては、記憶情報を記憶する記憶手段（３９、４０）と、移動機内でハンズフリー通話が行われているか否かを判定する通話判定手段（１００）と、移動機が移動中か否かを判定する走行判定手段（１２０）と、走行判定手段により移動機が移動中であると判定されて、かつ、通話判定手段によりハンズフリー通話が行われていると判定されたとき、移動機の移動中にハンズフリー通話が行われた旨を記憶情報として記憶させるように記憶手段を制御する制御手段（１３０）とを有することを特徴とする。
【０００８】
これにより、制御手段は、移動機の移動中にハンズフリー通話が行われた旨を記憶情報として記憶させるように記憶手段を制御するため、移動機の移動中にハンズフリー通話が行われた旨を記憶手段において記録に残すことができる。
【０００９】
請求項２に記載の発明では、送信情報を送信する送信手段（３１、３２）を有し、制御手段は、移動機の移動中にハンズフリー通話が行われた旨を、送信情報として送信させるように送信手段を制御することを特徴とする。
【００１０】
これにより、無線通信装置の外部で、移動機の移動中にハンズフリー通話が行われた旨を受信して残すことができる。
【００１１】
因みに、上記各手段の括弧内の符号は、後述する各実施形態に記載の具体的手段との対応関係を示す一例である。
【００１２】
【発明の実施の形態】
（第１実施形態）
図１に本発明に係る携帯通信システムの第１実施形態を示す。図１は、携帯通信システムの概略構成を示すブロック図、図２は、自動車内に搭載された自動車内通信装置の概略構成を示すブロック図である。
【００１３】
携帯通信システムは、自動車内通信装置１０及び基地局２０を有する。自動車内通信装置１０は、携帯電話３０、ＩＣカード４０、ナビゲーションシステム５０、及び、ハンズフリー通話システム６０を有する。また、携帯電話３０は、図２に示すように、アンテナ３１、無線部３２、音声処理部３３、スピーカ３４、マイク３５、操作部３６、表示部３７、制御部３８、及び、メモリ３９から構成されている。
【００１４】
アンテナ３１は、変調信号を電波を媒体として送信するとともに、受信信号を電波を媒体として受信する。無線部３２は、制御部３８により制御されて、アンテナ３１から受信信号を受けてこの受信信号を復調して復調信号を出力する。また、無線部３２は、制御部３８により制御されて、送信信号を変調して変調信号をアンテナ３１に出力する。
【００１５】
音声処理部３３は、制御部３８により制御されて、受信信号をスピーカ３４に出力する。また、音声処理部３３は、制御部３８により制御されて、マイク３５から送話信号を受けこの送話信号を送信信号に変換する。スピーカ３４は、受信信号を受け受話音声を出力し、マイク３５は、送話音声を受けて送話信号を出力する。
【００１６】
操作部３６は、複数のキーを有して、利用者の操作を受け操作信号を制御部３８に出力する。また、表示部３７は、制御部３８により制御されて、各種表示を行う。そして、制御部３８は、図３に示すフローチャートに従って、発信記録処理を実行する。メモリ３９は、制御部３８のコンピュータプログラムとともに、各種データを保持する。
【００１７】
図１において、ＩＣカード４０は、携帯電話３０に脱着可能に接続されるもので、後述する通話履歴を保持する。また、ナビゲーションシステム５０は、各人工衛星からそれぞれの衛星信号を受け、それぞれの衛星信号に基づいて位置情報を求める。
【００１８】
ハンズフリー通話システム６０は、図２に示すように、ハンズフリー装置６１及び操作マイク部６２を有する。ハンズフリー装置６１は、制御部６３及びスピーカ６４を有し、操作マイク部６２は、操作部６５及びマイク６６を有する。スピーカ６４は、受信信号を受け受話音声を出力し、マイク６６は、送話音声を受けて送話信号を制御部６３に出力する。
【００１９】
操作部６５は、利用者の操作を受け操作信号を制御部６３に出力する。制御部６３は、携帯電話３０の制御部３８から送話信号を受けこの送話信号をスピーカ６４に出力する。また、制御部６３は、操作部６５からの操作信号とマイク６６からの送話信号とを携帯電話３０の制御部３８に出力する。
【００２０】
以下、本第１実施形態の作動につき図３、図４を用いて説明する。
【００２１】
先ず、ハンズフリー通話システム６０において、操作部６５の操作によって、発信先の電話番号とオフフック信号とが制御部６３に入力されると、制御部６３は、発信信号を携帯電話３０に出力する。
【００２２】
次に、携帯電話３０において、制御部３８は、操作部６５から発信信号が入力された旨を示す操作履歴をメモリ３９に記憶させる。
【００２３】
なお、操作部６３ではなく、操作部３６から発信信号が入力されたときには、制御部６３は、操作部３６から発信信号が入力された旨を示す操作履歴をメモリ３９に記憶させる。
【００２４】
ここで、制御部３８は、上記発信信号を受け無線部３２に出力して、無線部３２は、発信信号を電波を媒体としてアンテナ３１から出力させる。すると、基地局２０は、発信信号を電波を媒体として受けると、着信信号を相手先の携帯電話４００（図１参照）に送信する。その後、基地局２０は、相手先の携帯電話４００から着信確認信号を受けると、携帯電話３０及び携帯電話４００の間を回線接続して、その接続信号を電波を媒体として送信する。
【００２５】
次に、携帯電話３０において、制御部３８は、アンテナ３１を通して無線部３２を経て接続信号を受けて、通話処理を実行する。すると、接続信号は、ハンズフリー装置６１の制御部６３に出力されて、制御部６３は、接続信号を受けると、通話処理としてスピーカ６４及びマイク６６の双方の動作を許可する。
【００２６】
これにより、スピーカ６４は、受信信号を受け受話音声を出力し、マイク６６は、送話音声を受けて送話信号を制御部６３に出力する。このように、運転者によって、スピーカ６４及びマイク６６を用いてハンズフリー通話が開始される。
【００２７】
ここで、制御部３８は、メインルーチンで通話処理を行うとともに、一定期間毎に割り込み処理で発信記録処理を行う。
【００２８】
先ず、ステップ１００において、ハンズフリー通話が行われているか否かを判定する。そして、上述の如く、メモリ３９から操作履歴を呼出す。この操作履歴は、上述の如く、操作部６５からの発信信号を受ける旨を示すので、ハンズフリー通話が行われていると判定し、ステップ１２０に進む。
【００２９】
次に、ステップ１１０では、ナビゲーションシステム５０によって一定期間に亘り位置検出させて、その検出された位置が一定期間にて移動しているとき、当該自動車が走行していると判定する（ステップ１２０）。
【００３０】
次に、当該自動車が走行中にてハンズフリー通話が行われている旨を、ハンズフリー通話記録として、メモリ３９に記憶するとともに、ＩＣカード４０に記憶させる（ステップ１４０）。さらに、ハンズフリー通話記録を、無線部３２によってアンテナ３１から送信させる（スッテプ１５０）。
【００３１】
ここで、制御部３８は、当該自動車が走行中にてハンズフリー通話が行われている旨に加えて、通話開始時間、通話終了時間、ハンズフリー装置の装置名（使用システム名）を、ハンズフリー通話記録として、アンテナ３１から送信させてもよい。
【００３２】
次に、基地局２０は、ハンズフリー通話記録を受けてコンピュータ２１に記憶させる（ステップ２００）。さらに、通話料金の低額化設定する（ステップ２１０）。
【００３３】
ここで、コンピュータ２１は、月々の使用請求書にて、希望者に、ハンズフリー通話記録を加えて発行送付する。さらに、コンピュータ２１は、警察２２、自動車損害保険会社２３から紹介の希望を受けたとき、利用者毎のハンズフリー通話記録を回答する。
【００３４】
以下、本第１実施形態の特徴を述べる。すなわち、携帯電話３０は、当該自動車が走行中にてハンズフリー通話が行われている旨を、ハンズフリー通話記録として、メモリ３９に記憶することにより、ハンズフリー通話を行った旨を記録に残すことができる。さらに、メモリ３９に加えて、ＩＣカード４０にも、ハンズフリー通話記録を記憶させるため、ハンズフリー通話記録の証拠を確実に保管できる。
【００３５】
これに加えて、携帯電話３０は、ハンズフリー通話記録を、無線部３２によってアンテナ３１から送信させて、基地局２０のコンピュータ２１にハンズフリー通話記録を記憶させる。従って、ハンズフリー通話記録の保管の確実性を増すことに加えて、基地局２０のコンピュータ２１が、ハンズフリー通話によって料金を割引すれば、ハンズフリー装置の使用を利用者に促すことにより、一層効果を上げることができる。
【００３６】
警察２２は、利用者のハンズフリー通話記録を、ハンズフリー通話を行った旨の証明として使用できるため、携帯電話による片手運転の取り締まりを良好に行うことができる。
【００３７】
自動車損害保険会社２３は、ハンズフリー通話システム６０の使用で、保険料金の割引サービスを実施すれば、ハンズフリー通話システム６０の使用を促すことができる。ここで、自動車損害保険会社２３としては、ハンズフリー通話記録を用いれば、ハンズフリー通話システム６０の使用の証明を容易に行うことができる。
【００３８】
（第２実施形態）
本第２実施形態では、着信時にて自動車の走行中にてハンズフリー通話が行われている旨を記録に残す例につき説明する。本第２実施形態において、携帯電話３０の制御部３８は、図４に示すフローチャートに従って、着信記録処理を実行する。但し、図４中にて、図３中と同一のステップは、同一の作動を示す。
【００３９】
先ず、本第２実施形態では、相手先の携帯電話４００から発信信号が、基地局２０に送信されると、基地局２０は、着信信号を携帯電話３０に送信する。
【００４０】
次に、携帯電話３０において、着信信号がアンテナ３１を通して無線部３２を経て制御部３８に入力されると、制御部３８は、音声処理部３３によってスピーカ３４から着信音を出力させる。これとともに、制御部３８は、制御部６３によってスピーカ６３から着信音を出力させる。
【００４１】
次に、ハンズフリー通話システム６０において、操作部６５の操作によってオフフック信号が制御部６３を通して制御部３８に出力されると、制御部３８は、操作部６５からオフフック信号が入力された旨を示す操作履歴をメモリ３９に記憶させるとともに、着信記録処理を開始する。
【００４２】
先ず、通話が不可能である通話不可モードが設定されているか否かを判定し（ステップ１５０）。通話不可モードが設定されていないのであれば、ステップ１６０に進んで、通話処理を開始させる。
【００４３】
すなわち、制御部６３によって、スピーカ６４及びマイク６６の双方の動作を許可する。よって、スピーカ６４は、受信信号を受け受話音声を出力し、マイク６６は、送話音声を受けて送話信号を制御部６３に出力する。このように、運転者によって、スピーカ６４及びマイク６６を用いてハンズフリー通話が開始される。
【００４４】
次に、ステップ１００において、ハンズフリー通話が行われているか否かを判定する。そして、上述のメモリ３９から操作履歴を呼出す。この操作履歴は、上述の如く、操作部６５からのオフフックを受ける旨を示すので、ハンズフリー通話が行われていると判定し、ステップ１２０に進む。
【００４５】
次に、ステップ１１０では、ナビゲーションシステム５０によって一定期間に亘り位置検出させて、その検出された位置が一定期間にて移動しているとき、当該自動車が走行していると判定する。
【００４６】
次に、当該自動車が走行中にてハンズフリー通話が行われている旨を、ハンズフリー通話記録として、メモリ３９に記憶するとともに、ＩＣカード４０に記憶させる（ステップ１３０）。さらに、ハンズフリー通話記録を、無線部３２によってアンテナ３１から送信させる（スッテプ１４０）。
【００４７】
次に、基地局２０は、上記第１実施形態と同様に、ハンズフリー通話記録を受けてコンピュータ２１に記憶させる（ステップ２００）。さらに、通話料金の低額化設定する（ステップ２１０）。
【００４８】
また、本発明の実施にあたり、携帯電話３０において操作部３６の操作に応じて表示部３７にハンズフリー通話記録を表示させるようにしてもよい。これにより、ハンズフリー通話を行った旨を容易に証明できる。
【００４９】
さらに、ステップ１５０で通話不可モードが設定されているのであれば、ステップ１５１に進んで、通話が不可能で有る旨を、無線部３２によってアンテナ３１から出力させる。このため、基地局２０は、携帯電話３０で通話が不可能で有る旨を相手先の携帯電話４００に連絡する。
【００５０】
なお、本発明の実施にあたり、移動機としては、自動車に係わらず、モータボート等の小型船舶に適用してもよい。
【００５１】
さらに、本発明の実施にあたり、無線通信機としては、携帯電話に係わらず、自動車電話、ＰＨＳ等の電話器、或いは、業務用無線機、アマチュア用無線機、トランシーバ等の無線機を採用してもよい。
【図面の簡単な説明】
【図１】本発明に係る携帯通信システムの一実施形態を示す電気回路構成をブロック図である。
【図２】図１に示す自動車内通信装置の電気回路構成を示すブロック図である。
【図３】図１に示す携帯電話及び基地局の作動の一部を示すフローチャートである。
【図４】図１に示す携帯電話及び基地局の作動の残りを示すフローチャートである。
【符号の説明】
３０…携帯電話、３６…制御部、３９…メモリ、４０…ＩＣカード
【図１】
0003671851.tif 000002
【図２】
0003671851.tif 000003
【図３】
0003671851.tif 000004
【図４】
0003671851.tif 000005